(57)【要約】【課題】ＳＩＲメッセージの配信遅延を軽減する方法を提供する。【解決手段】本発明による方法は、開始リクエストをコネクション型情報伝達チャネルを用いて移動局に送信し、該移動局は開始リクエストに応えて、プッシュセッションを構築する。好ましくは、コネクション型情報伝達チャネルは開始リクエストを蓄積転送メカニズムを用いることなく送信する。一つの実施形態において、コネクション型情報伝達チャネルは、非構造付加サービスデータ（ＵＳＳＤ）チャネルを含む。開始リクエストは、サービス開始リクエスト（ＳＩＲ）のためのＷＡＰプロトコル、あるいは非構造付加サービスリクエスト（ＵＳＳＲ）のためのＵＳＳＤプロトコルに従い得る。後者の場合、該方法はＵＳＳＤを用いて移動局との接続を構築し、移動局にプッシュセッションを起動し構築するようリクエストするＵＳＳＲメッセージを送信することを含み得る。【選択図】  図５
2005304052.tif 000002
【特許請求の範囲】
【請求項１】
情報を無線通信ネットワークにおいてプッシュプロキシゲートウェイから移動局にプッシュするための無線アクセスプロトコル（ＷＡＰ）を開始する方法であって、該方法は、
該ネットワークと該移動局間にコネクション型情報伝達チャネルを構築することによって、移動局に開始リクエストを送信することと、
プッシュプロキシゲートウェイが起動されたベアラーを用いて情報を該移動局にプッシュすることを許可するように、該プッシュプロキシゲートウェイに対する該開始リクエストに応えて、該移動局がプッシュセッションを構築するためのベアラーを起動するという該リクエストを送信するために該チャネルを使用することと
を包含する、方法。
【請求項２】
前記起動されたベアラーが、ＧＰＲＳパケットデータプロトコルコンテクストである、請求項１に記載の方法。
【請求項３】
前記コネクション型情報伝達チャネルが、セッション型メカニズムを用いて前記開始リクエストを送信する、請求項１または２に記載の方法。
【請求項４】
前記開始リクエストが、前記プッシュセッション構築のための前記プッシュプロキシゲートウェイの確認を含む、請求項１から３のいずれか一項に記載の方法。
【請求項５】
前記開始リクエストが、前記プッシュセッションの前記構築をサポートするための前記ベアラーの起動確認を含む、請求項１から４のいずれか一項に記載の方法。
【請求項６】
前記送信することが、前記コネクション型情報伝達チャネルを用いて前記ネットワークと前記移動局間にセッションを構築できない場合、即座に前記プロキシゲートウェイへのエラーメッセージを提供することをさらに包含する、請求項１から５のいずれか一項に記載の方法。
【請求項７】
前記コネクション型情報伝達チャネルが、非構造付加サービスデータ（ＵＳＳＤ）を送信するためのチャネルを含む、請求項１から６のいずれか一項に記載の方法。
【請求項８】
前記開始リクエストが、サービス開始リクエスト（ＳＩＲ）のためのＷＡＰプロトコルに従う、請求項７に記載の方法。
【請求項９】
前記開始リクエストが、非構造付加サービスリクエスト（ＵＳＳＲ）のためのＵＳＳＤプロトコルに従う、請求項７に記載の方法。
【請求項１０】
前記開始リクエストを前記プッシュプロキシゲートウェイから受信することを包含する、請求項１から９のいずれか一項に記載の方法。
【請求項１１】
無線通信ネットワークにおいて、プロキシゲートウェイからのプッシュ情報を移動局において受信するための、無線アクセスプロトコル（ＷＡＰ）プッシュセッションを開始するための方法であって、該方法は
該ネットワークと該移動局との間にコネクション型情報伝達チャネルを構築し、該チャネルを用いて該移動局で開始リクエストを受信することと、
プッシュプロキシゲートウェイが起動されたベアラーを用いて情報を該移動局にプッシュすることを許可するように、該プッシュプロキシゲートウェイに対する該開始リクエストに応えて、プッシュセッションを構築するために該ベアラーを起動することと
を包含する、方法。
【請求項１２】
前記起動されたベアラーが、ＧＰＲＳパケットデータプロトコルコンテクストである、請求項１１に記載の方法。
【請求項１３】
前記コネクション型情報伝達チャネルが、セッション型のメカニズムを用いて前記開始リクエストを送信する請求項１１または１２に記載の方法。
【請求項１４】
前記開始リクエストが、前記プシュセッションを構築するための前記プッシュプロキシゲートウェイの確認を含む、請求項１１から１３のいずれか一項に記載に記載の方法。
【請求項１５】
前記開始リクエストが、前記プッシュセッションの前記構築をサポートするためのベアラーの起動確認を含む、請求項１１から１４のいずれかに一項に記載の方法。
【請求項１６】
前記コネクション型情報伝達チャネルが、非構造付加サービスデータ（ＵＳＳＤ）を送信するためのチャネルを備える、請求項１２から１５のいずれか一項に記載の方法。
【請求項１７】
前記開始リクエストが、サービス開始リクエスト（ＳＩＲ）のためのＷＡＰプロトコルに従う、請求項１６に記載の方法。
【請求項１８】
前記開始リクエストが、非構造付加サービスリクエスト（ＵＳＳＲ）のためのＵＳＳＤプロトコルに従う、請求項１６に記載の方法。
【請求項１９】
プッシュセッションを開始するためのＷＡＰプロトコルに従って適応される、前記移動局のセッション開始アプリケーションへの前記開始リクエストを提供することをさらに包含する、請求項１１から１８のいずれかに一項に記載の方法。
【請求項２０】
無線通信ネットワークにおいて情報を移動局へプッシュするために適応されるプッシュプロキシゲートウェイにおいて、無線アクセスプロトコル（ＷＡＰ）プッシュセッションを開始するための方法であって、該方法は
コネクション型通信伝達チャネルを該ネットワークと該移動局の間に構築することにより、開始リクエストを移動局への配信のための無線通信ネットワークのネットワークノードに送信することと、
該リクエストを送信するために前記チャネルを使い、プッシュプロキシゲートウェイが該起動されたベアラーを用いて情報を該移動局へプッシュすることを許可するように、該プッシュプロキシゲートウェイに対する該開始リクエストに応じて、プッシュセッションを構築するためのベアラーを起動するために前記移動局と通信することと
を包含する、方法。
【請求項２１】
前記起動されたベアラーが、ＧＰＲＳパケットデータプロトコルコンテクストである、請求項２０に記載の方法。
【請求項２２】
前記コネクション型情報伝達チャネルが、コネクション型メカニズムを用いて前記開始リクエストを送信する、請求項２０または２１に記載の方法。
【請求項２３】
前記開始リクエストが、前記プッシュセッションを構築するための前記プッシュプロキシゲートウェイの確認を含む、請求項２０から２２のいずれか一項に記載の方法。
【請求項２４】
前記開始リクエストが、前記プッシュセッションの前記構築をサポートするための前記ベアラーの起動の確認を含む、請求項２０から２３のいずれか一項に記載の方法。
【請求項２５】
前記ネットワークが、該ネットワークと前記移動局との間に前記コネクション型情報伝達チャネルを用いてセッションを構築できないとき、即座に前記プッシュプロキシゲートウェイにおいてエラーメッセージを受け取ることをさらに含む、請求項２０から２４のいずれか一項に記載の方法。
【請求項２６】
前記コネクション型情報伝達チャネルが、非構造付加サービスデータ（ＵＳＳＤ）送信のためのチャネルを含む、請求項２０から２５のいずれか一項に記載の方法。
【請求項２７】
前記開始リクエストが、サービス開始リクエスト（ＳＩＲ）のためのＷＡＰプロトコルに従う、請求項２６に記載の方法。
【請求項２８】
前記開始リクエストが、非構造付加サービスリクエスト（ＵＳＳＲ）のためのＵＳＳＤプロトコルに従う、請求項２６に記載の方法。
【請求項２９】
無線通信ネットワーク経由で情報をプロキシゲートウェイから移動局へプッシュするための無線アクセスプロトコル（ＷＡＰ）プッシュセッションを開始するための無線通信ネットワークのネットワークノードであって、該ネットワークノードは、
該無線ネットワーク経由の送受信のための通信システムと、
受信メッセージと送信のためのメッセージを処理するための該通信システムに結合されたプロセッサと、
該プロセッサに結合されたメモリであって、該ネットワークと該移動局の間にコネクション型情報伝達チャネルを構築することにより、該プロキシゲートウェイが起動されたベアラーを用いて情報を該移動局にプッシュすることを許可するように、該プロキシゲートウェイに対する開始リクエストに応えて、該移動局がプッシュセッションを構築するための該ベアラーを起動するという該リクエストを送信するための該チャネルを使用することにより、該開始リクエストを該移動局に通信するための該プロセッサを構築するための命令を格納する、メモリと
を備える、ノード。
【請求項３０】
前記起動されたベアラーが、ＧＰＲＳパケットデータプロトコルコンテクストである、請求項２９に記載のノード。
【請求項３１】
セッション型メカニズムを使用して前記開始リクエストを送信するために、さらに構築される、請求項２９または３０に記載のノード。
【請求項３２】
前記開始リクエストが、前記プッシュセッションを構築するための前記プッシュプロキシゲートウェイの確認を含む、請求項２９から３１のいずれか一項に記載のノード。
【請求項３３】
前記開始リクエストが、前記プッシュセッションの前記構築をサポートするために、前記ベアラー起動の確認を含む、請求項２９から３２のいずれか一項に記載のノード。
【請求項３４】
前記送信が前記ネットワークと前記移動局との間に、前記コネクション型情報伝達チャネルを用いてセッションを構築できないことを含むとき、前記プッシュプロキシゲートウェイへのエラーメッセージを直ちに提供するためにさらに構築される、請求項２９から３３のいずれか一項に記載のノード。
【請求項３５】
前記コネクション型情報伝達チャネルが、非構造付加サービスデータ（ＵＳＳＤ）を送信するためのチャネルを含む、請求項２９から３６のいずれか１項に記載のノード。
【請求項３６】
前記開始リクエストが、サービス開始リクエスト（ＳＩＲ）のためのＷＡＰプロトコルに従う、請求項３５に記載のノード。
【請求項３７】
前記開始リクエストが、非構造付加サービスリクエスト（ＵＳＳＲ）のためのＵＳＳＤプロトコルに従う、請求項３５に記載のノード。
【請求項３８】
前記プッシュプロキシゲートウェイから前記開始リクエストを受け取るために構成された、請求項２９から３７のいずれか一項に記載のノード。
【請求項３９】
プッシュ情報をプッシュプロキシゲートウェイから無線通信ネットワーク経由で受信するためのＷＡＰプッシュセッションを開始するための移動局であって、該移動局は、
該ワイヤレスネットワーク経由で送受信するための通信システムと、
受信したメッセージと送信するためのメッセージを処理するための該通信システムに結合されたプロセッサと、
該プロセッサに結合されたメモリであって、該ネットワークと該移動局の間にコネクション型情報伝達チャネルを構築し、前記チャネルを用いて該移動局で開始リクエストを受信し、該プッシュプロキシゲートウェイが情報を該移動局にプッシュすることを許可するように、該プッシュプロキシゲートウェイに対する該開始リクエストに応えて、プッシュセッションを構築するためのベアラーを起動させるための該プロセッサを構築するための、命令を格納するためのメモリと
を備えた、移動局。
【請求項４０】
前記起動されたベアラーが、ＧＰＲＳパケットデータプロトコルコンテクストである、請求項３９に記載の移動局。
【請求項４１】
前記開始リクエストが、セッション型メカニズムを用いて前記コネクション型情報伝達チャネル上で送信されるようさらに構築される、請求項３９または４０のいずれか一項に記載の移動局。
【請求項４２】
前記開始リクエストが、前記プッシュセッションを構築するための前記プッシュプロキシゲートウェイの確認を含む、請求項３９から４１のいずれか一項に記載の移動局。
【請求項４３】
前記開始リクエストが、前記プッシュセッションの前記構築をサポートするための前記ベアラーの起動の確認を含む、請求項３９から４２のいずれか一項に記載の移動局。
【請求項４４】
前記コネクション型情報伝達チャネルが、非構造付加サービスデータ（ＵＳＳＤ）送信のためのチャネルを含む、請求項３９から４３のいずれか一項に記載の移動局。
【請求項４５】
前記開始リクエストが、サービス開始リクエスト（ＳＩＲ）のためのＷＡＰプロトコルに従う請求項４４に記載の移動局。
【請求項４６】
前記開始リクエストが、非構造付加サービスリクエスト（ＵＳＳＲ）のためのＵＳＳＤプロトコルに従う、請求項４４に記載の移動局。
【請求項４７】
無線通信ネットワーク経由で情報をプシュプロキシゲートウェイから移動局へプッシュするための無線アクセスプロトコル（ＷＡＰ）を開始するための該プッシュプロキシゲートウェイであって、該プロキシゲートウェイは
無線ネットワーク経由での送受信のための通信システムと、
受信されたメッセージと送信のためのメッセージを処理するための該通信システムに結合されたプロセッサと、
該プロセッサに結合されたメモリであって、コネクション型情報伝達チャネルを該ネットワークと移動局の間に構築し、該チャネルを用いて、プッシュプロキシゲートウェイが起動されたベアラーを用いて情報を該移動局にプッシュすることを許可するように、該プッシュプロキシゲートウェイに対する開始リクエストに答えて、該移動局がプッシュセッションを構築のための該ベアラーを起動するという該リクエストを送信するために、該開始リクエストを該移動局に配信するための無線通信ネットワークのネットワークノードに送信するための該プロセッサを構築するための、命令を格納するためのメモリと
を備える、ゲートウェイ。
【請求項４８】
前記起動されたベアラーが、ＧＰＲＳパケットプロトコルコンテクストである、請求項４７に記載のゲートウェイ。
【請求項４９】
前記開始リクエストが、前記プッシュセッションの構築のための前記プッシュプロキシゲートウェイの確認を含む、請求項４７または４８に記載のゲートウェイ。
【請求項５０】
前記開始リクエストが、前記プッシュセッションの前記構築をサポートするために起動するベアラーの確認を含む、請求項４７から４９のいずれか一項に記載のゲートウェイ。
【請求項５１】
前記送信が前記コネクション型情報伝達チャネルを用いて前記ネットワークと前記移動局の間にセッションを構築できない場合、即座にエラーメッセージを受け取るためにさらに構築される、請求項４７から５０のいずれか一項に記載のゲートウェイ。
【請求項５２】
前記コネクション型情報伝達チャネルが、非構造付加サービスデータ（ＵＳＳＤ）のためのチャネルを含む、請求項４７から５１のいずれか一項に記載のゲートウェイ。
【請求項５３】
前記開始リクエストが、サービス開始リクエスト（ＳＩＲ）のためのＷＡＰプロトコルに従う、請求項５２に記載のゲートウェイ。
【請求項５４】
前記開始リクエストが、非構造付加サービスリクエスト（ＵＳＳＲ）のためのＵＳＳＤプロトコルに従う、請求項５２に記載のゲートウェイ。
【請求項５５】
請求項１から１０に記載の方法のいずれかを実施するための請求項２９から３８に記載のネットワークノードのいずれかの上で実行可能なプログラムコードを含む、機械で読取り可能な媒体。
【請求項５６】
請求項１１から１９に記載の方法のいずれかを実施するための請求項３９から４６に記載の移動局のいずれかの上で実行可能なプログラムコードを含む、機械で読取り可能な媒体。
【請求項５７】
請求項２０から２８に記載の方法のいずれかを実施するための請求項４７から５４に記載のプッシュプロキシゲートウェイのいずれかの上で実行可能なプログラムコードを含む、機械で読取り可能な媒体。
【発明の詳細な説明】
【技術分野】
【０００１】
本発明は、概して無線アクセスプロトコル（ＷＡＰ）プッシュの実施に関し、特にセッション開始リクエストを送信するためのシステムと方法に関する。
【背景技術】
【０００２】
典型的なクライアント／サーバー環境において、クライアントはサービスあるいは情報のリクエストによりサーバーと関与する。サーバーは、リクエストに応じ、クライアントに情報を返す。この相互作用は、クライアントがサーバーから情報を効果的に引くので、プルと呼ばれる。典型的なプルの好例は、インターネット上でのサーチエンジンの検索である。この例において、クライアントは探索文字列をサーバーに送信し、サーバーは一致する要素のリストで応じる。
【０００３】
もう一つの、クライアント／サーバー相互作用として、サーバーがクライアントからのそうするようにとの明白な命令なしに、情報を送信するものがある。この相互作用は、サーバーがクライアントに情報を効果的にプッシュするので、プッシュと呼ばれる。典型的なプッシュの好例は、株価照会の頻繁な送信である。サーバーは、所定の間隔で株価情報を記録し、自動的に最新情報をクライアントに送信するよう構築されたソフトウエアを動作させる。従って、クライアントがこの間隔で情報をリクエストしていなくても、情報はサーバーから送信される。
【０００４】
無線ネットワークに関し、現今のプッシュサービス配信の業界基準は無線アクセスプロトコル（ＷＡＰ）プッシュである。図１を参照して、ＷＡＰプッシュを遂行するためのアーキテクチャが参照番号１００によって概略が示されている。アーキテクチャ１００はプッシュイニシエータ（ＰＩ）１０２、プッシュプロキシゲートウェイ（ＰＰＧ）１０４、移動局１０６を含む。プッシュイニシエータ（ＰＩ）１０２は通常ネットワーク内のサーバー上で実行されるアプリケーションである。プッシュイニシエータ（ＰＩ）１０２とＰＰＧ１０４はプッシュアクセスプロトコルを使ってリンク１０８を介して交信する。ＰＰＧ１０４は、次にリンク１１０を介してプッシュＯｖｅｒ−ｔｈｅ−Ａｉｒプロトコルを使って、移動局１０６と交信する。
【０００５】
ＷＡＰを利用するプッシュサービス配信のための、ＯＴＡ−ＨＴＴＰやＯＴＡ−ＷＰＳといったプッシュＯｖｅｒ−ｔｈｅ−Ａｉｒプロトコルの例は、「Ｐｕｓｈ  ＯＴＡ  Ｐｒｏｔｏｃｏｌ」２５  Ａｐｒｉｌ  ２００１、ｐｐ１−４４に説明されている。ｗｗｗ.ｗｍｌｃｌｕｂ．ｃｏｍ／ｄｏｃｓ／ｅｓｐｃｃｗａｐ２．０／ＷＡＰ−２３５−ＰｕｓｈＯＴＡ−２００１０４２５−ａ．ｐｄｆよりダウンロード可能である。
【０００６】
しかしながら、アクティブなベアラー（デバイス間のトランスポート層のメッセージを運ぶために使われるアクテイブなネットワーク）が一般パケットラジオサービス（ＧＰＲＳ）を介してプッシュの配信に使用できない場合は、手順は、パケットデータプロトコル（ＰＤＰ）コンテクストを開始し、そうしてアクティブベアラーを利用可能にするよう定義されている。ＷＡＰプッシュ規格、ＷＡＰ−２５０−ＰｕｓｈＡｒｃｈＯｖｅｒｖｉｅｗ−２００１０７０３−ａ、Ｖｅｒｓｉｏｎ  ０３−Ｊｕｌ−２００１に従って、ＰＰＧ１０４はセッション開始リクエスト（ＳＩＲ）をセッション開始アプリケーション（ＳＩＡ）に送る。
【０００７】
ＳＩＡは、移動局１０６上に常駐するアプリケーションで、ＳＩＲメッセージ受信および応答目的に特定されている。いったん、ＳＩＡがＰＰＧ１０４からＳＩＲを受信すると、それは適切なベアラーを起動させることによって応答し、所望されたＰＰＧ１０４にプッシュセッションを構築するよう連絡する。ＰＰＧ１０４は、その時、所望された情報を移動局１０６にプッシュし得る。
【０００８】
通常、ＳＩＲは、コネクションレスプッシュを使ってショートメッセージサービス（ＳＭＳ）経由でＳＩＡに送信される。図２を参照して、サンプルのＳＭＳアーキテクチャの概略図が参照番号２００によって示されている。ＳＭＳセンター（ＳＭＳＣ）２０２は、ＳＩＲを受信するためのＰＰＧ１０４と結合されている。ＳＭＳＣ２０２はさらにホームロケーションレジスタ（ＨＬＲ）２０４と、信号転送点（ＳＴＰ）２０６と結合されている。ＳＴＰ２０６は、さらにＯｖｅｒ−ｔｈｅ−Ｎｅｔｗｏｒｋ２０８を介して、移動局１０６と結合されている。
【０００９】
ＰＰＧ１０４は、ＳＩＲをＳＭＳＣ２０２に送信する。ＳＭＳＣ２０２は、蓄積転送システムとして働き、ＳＩＲを格納する。ＳＭＳＣ２０２は、ＳＭＳリクエストを、ＳＩＲが送られることになっている対応する移動局１０６の所在確認をするためのＨＬＲ２０４に送る。ＨＬＲ２０４は、ＳＭＳリクエストに移動局のステータスで応答する。
【００１０】
移動局のステータスがインアクティブであれば、ＳＭＳＣ２０２は、所定期間待機する。いったん、移動局１０６がアクティブになると、ＨＬＲ２０４はＳＭＳＣ２０２にＳＭＳ通知を送る。ＳＭＳＣがＳＭＳ通知を所定の期間が終わるまでに受信しなければ、ＳＭＳＣ２０２はＳＭＳリクエストを再送信しようとする。
【００１１】
移動局のステータスがアクティブであれば、ＨＬＲ２０４は移動局１０６の位置をＳＭＳＣ２０２に送信する、そしてＳＭＳＣ２０２はそのメッセージを移動局１０６に送信する。いったんメッセージが配信されると、移動局１０６はメッセージが受信され、ＳＭＳＣ２０２がＳＩＲの再度送信を試みることはないことを確認する。いったんＳＩＡがＳＩＲを受信すると、ＰＤＰコンテクストはＰＧＰ１０４とともに構築され、プッシュが起こり得る。
【００１２】
しかしながら、ＳＭＳ経由のＳＩＲ伝達はパーシステンスを与えるが、それはまた多くの限界をも生む。先に記載のとおり、ＳＭＳはＳＩＲメッセージ配信の遅延をもたらす蓄積転送システムである。
【００１３】
さらに、よく知られた競合条件がＳＭＳＣ２０２とＨＬＲ２０４の間で起こり得、そのためＳＩＲはＳＭＳＣで長期間、留められる。この状況は、ユーザーが、たとえばＳＭＳメッセージをバンチング（ｂｕｎｃｈｉｎｇ）する場合であって、ローミングおよびマニフェストするとき、しばしば起こる。メッセージのバックログはＨＬＲとビジターロケーションレジスタ（ＶＬＲ）が更新された後、通常、ユーザーが電話をかけたり、受けたりしようとするときに配信される。
【００１４】
また、さらに、ＳＭＳ経由でのＳＩＲ配信は、完全に信頼できるものではなく、システムの蓄積転送という性質により、メッセージの送信源originatorはメッセージがＳＭＳの有効期限が切れるまで、メッセージが配信されていないことを発見せず、それは重要でありうる。
【発明の開示】
【発明が解決しようとする課題】
【００１５】
従って、上記に触れた不都合の少なくともいくつかを未然に防ぐ、あるいは軽減することが本発明の課題である。
【課題を解決するための手段】
【００１６】
無線通信ネットワークにおいて情報をプッシュプロキシゲートウェイから移動局へプッシュするための無線アクセスプロトコル（ＷＡＰ）プッシュセッション開始のための方法および装置が示されている。一つの実施形態において、その方法はコネクション型情報伝達チャネル（ｃｏｎｎｅｃｔｉｏｎ−ｏｒｉｅｎｔｅｄ  ｓｉｇｎａｌｌｉｎｇ  ｃｈａｎｎｅｌ）を構築し、利用することによって、開始リクエストを移動局へ送信することを含み、その移動局は、プッシュプロキシゲートウェイが情報を移動局にプッシュすることを許可するための開始リクエストに応えて、プッシュセッションを構築するためのベアラーを起動する。好ましくは、コネクション型情報伝達チャネルは蓄積転送メカニズムを使うことなく開始リクエストを送信する。一つの実施形態において、コネクション型情報伝達チャンネルは非構造付加サービスデータ（ＵＳＳＤ）を送信するためのチャンネルを含む。そのため、開始リクエストは、サービス開始リクエスト（ＳＩＲ）のためのＷＡＰプロトコル、あるいは非構造付加サービスリクエスト（ＵＳＳＲ）のためのＵＳＳＤプロトコルに従う。後者の場合、該方法はＵＳＳＤを送信するためのチャンネルを使って移動局との接続を確立し、そして、移動局にプッシュセッションを起動し構築するように要求するＵＳＳＲメッセージを送る。
【００１７】
本発明の他の局面に従って、当業者は情報を移動局に配信するための無線アクセスプロトコル（ＷＡＰ）プッシュセッションを実施するための、さらなる方法、装置、システム、コンピュータプログラム製品を認識する。
（項目１）
情報を無線通信ネットワークにおいてプッシュプロキシゲートウェイから移動局にプッシュするための無線アクセスプロトコル（ＷＡＰ）を開始する方法であって、該方法は、
該ネットワークと該移動局間にコネクション型情報伝達チャネルを構築することによって、移動局に開始リクエストを送信することと、
プッシュプロキシゲートウェイが起動されたベアラーを用いて情報を該移動局にプッシュすることを許可するように、該プッシュプロキシゲートウェイに対する該開始リクエストに応えて、該移動局がプッシュセッションを構築するためのベアラーを起動するという該リクエストを送信するために該チャネルを使用することと
を包含する、方法。
（項目２）
上記起動されたベアラーが、ＧＰＲＳパケットデータプロトコルコンテクストである、項目１に記載の方法。
（項目３）
上記コネクション型情報伝達チャネルが、セッション型メカニズムを用いて上記開始リクエストを送信する、項目１または２に記載の方法。
（項目４）
上記開始リクエストが、上記プッシュセッション構築のための上記プッシュプロキシゲートウェイの確認を含む、項目１から３のいずれか一項に記載の方法。
（項目５）
上記開始リクエストが、上記プッシュセッションの上記構築をサポートするための上記ベアラーの起動確認を含む、項目１から４のいずれか一項に記載の方法。
（項目６）
上記送信することが、上記コネクション型情報伝達チャネルを用いて上記ネットワークと上記移動局間にセッションを構築できない場合、即座に上記プロキシゲートウェイへのエラーメッセージを提供することをさらに包含する、項目１から５のいずれか一項に記載の方法。
（項目７）
上記コネクション型情報伝達チャネルが、非構造付加サービスデータ（ＵＳＳＤ）を送信するためのチャネルを含む、項目１から６のいずれか一項に記載の方法。
（項目８）
上記開始リクエストが、サービス開始リクエスト（ＳＩＲ）のためのＷＡＰプロトコルに従う、項目７に記載の方法。
（項目９）
上記開始リクエストが、非構造付加サービスリクエスト（ＵＳＳＲ）のためのＵＳＳＤプロトコルに従う、項目７に記載の方法。
（項目１０）
上記開始リクエストを上記プッシュプロキシゲートウェイから受信することを包含する、項目１から９のいずれか一項に記載の方法。
（項目１１）
無線通信ネットワークにおいて、プロキシゲートウェイからのプッシュ情報を移動局において受信するための、無線アクセスプロトコル（ＷＡＰ）プッシュセッションを開始するための方法であって、該方法は
該ネットワークと該移動局との間にコネクション型情報伝達チャネルを構築し、該チャネルを用いて該移動局で開始リクエストを受信することと、
プッシュプロキシゲートウェイが起動されたベアラーを用いて情報を該移動局にプッシュすることを許可するように、該プッシュプロキシゲートウェイに対する該開始リクエストに応えて、プッシュセッションを構築するために該ベアラーを起動することと
を包含する、方法。
（項目１２）
上記起動されたベアラーが、ＧＰＲＳパケットデータプロトコルコンテクストである、項目１１に記載の方法。
（項目１３）
上記コネクション型情報伝達チャネルが、セッション型のメカニズムを用いて上記開始リクエストを送信する項目１１または１２に記載の方法。
（項目１４）
上記開始リクエストが、上記プシュセッションを構築するための上記プッシュプロキシゲートウェイの確認を含む、項目１１から１３のいずれか一項に記載に記載の方法。
（項目１５）
上記開始リクエストが、上記プッシュセッションの上記構築をサポートするためのベアラーの起動確認を含む、項目１１から１４のいずれかに一項に記載の方法。
（項目１６）
上記コネクション型情報伝達チャネルが、非構造付加サービスデータ（ＵＳＳＤ）を送信するためのチャネルを備える、項目１２から１５のいずれか一項に記載の方法。
（項目１７）
上記開始リクエストが、サービス開始リクエスト（ＳＩＲ）のためのＷＡＰプロトコルに従う、項目１６に記載の方法。
（項目１８）
上記開始リクエストが、非構造付加サービスリクエスト（ＵＳＳＲ）のためのＵＳＳＤプロトコルに従う、項目１６に記載の方法。
（項目１９）
プッシュセッションを開始するためのＷＡＰプロトコルに従って適応される、上記移動局のセッション開始アプリケーションへの上記開始リクエストを提供することをさらに包含する、項目１１から１８のいずれかに一項に記載の方法。
（項目２０）
無線通信ネットワークにおいて情報を移動局へプッシュするために適応されるプッシュプロキシゲートウェイにおいて、無線アクセスプロトコル（ＷＡＰ）プッシュセッションを開始するための方法であって、該方法は
コネクション型通信伝達チャネルを該ネットワークと該移動局の間に構築することにより、開始リクエストを移動局への配信のための無線通信ネットワークのネットワークノードに送信することと、
該リクエストを送信するために上記チャネルを使い、プッシュプロキシゲートウェイが該起動されたベアラーを用いて情報を該移動局へプッシュすることを許可するように、該プッシュプロキシゲートウェイに対する該開始リクエストに応じて、プッシュセッションを構築するためのベアラーを起動するために上記移動局と通信することと
を包含する、方法。
（項目２１）
上記起動されたベアラーが、ＧＰＲＳパケットデータプロトコルコンテクストである、項目２０に記載の方法。
（項目２２）
上記コネクション型情報伝達チャネルが、コネクション型メカニズムを用いて上記開始リクエストを送信する、項目２０または２１に記載の方法。
（項目２３）
上記開始リクエストが、上記プッシュセッションを構築するための上記プッシュプロキシゲートウェイの確認を含む、項目２０から２２のいずれか一項に記載の方法。
（項目２４）
上記開始リクエストが、上記プッシュセッションの上記構築をサポートするための上記ベアラーの起動の確認を含む、項目２０から２３のいずれか一項に記載の方法。
（項目２５）
上記ネットワークが、該ネットワークと上記移動局との間に上記コネクション型情報伝達チャネルを用いてセッションを構築できないとき、即座に上記プッシュプロキシゲートウェイにおいてエラーメッセージを受け取ることをさらに含む、項目２０から２４のいずれか一項に記載の方法。
（項目２６）
上記コネクション型情報伝達チャネルが、非構造付加サービスデータ（ＵＳＳＤ）送信のためのチャネルを含む、項目２０から２５のいずれか一項に記載の方法。
（項目２７）
上記開始リクエストが、サービス開始リクエスト（ＳＩＲ）のためのＷＡＰプロトコルに従う、項目２６に記載の方法。
（項目２８）
上記開始リクエストが、非構造付加サービスリクエスト（ＵＳＳＲ）のためのＵＳＳＤプロトコルに従う、項目２６に記載の方法。
（項目２９）
無線通信ネットワーク経由で情報をプロキシゲートウェイから移動局へプッシュするための無線アクセスプロトコル（ＷＡＰ）プッシュセッションを開始するための無線通信ネットワークのネットワークノードであって、該ネットワークノードは、
該無線ネットワーク経由の送受信のための通信システムと、
受信メッセージと送信のためのメッセージを処理するための該通信システムに結合されたプロセッサと、
該プロセッサに結合されたメモリであって、該ネットワークと該移動局の間にコネクション型情報伝達チャネルを構築することにより、該プロキシゲートウェイが起動されたベアラーを用いて情報を該移動局にプッシュすることを許可するように、該プロキシゲートウェイに対する開始リクエストに応えて、該移動局がプッシュセッションを構築するための該ベアラーを起動するという該リクエストを送信するための該チャネルを使用することにより、該開始リクエストを該移動局に通信するための該プロセッサを構築するための命令を格納する、メモリと
を備える、ノード。
（項目３０）
上記起動されたベアラーが、ＧＰＲＳパケットデータプロトコルコンテクストである、項目２９に記載のノード。
（項目３１）
セッション型メカニズムを使用して上記開始リクエストを送信するために、さらに構築される、項目２９または３０に記載のノード。
（項目３２）
上記開始リクエストが、上記プッシュセッションを構築するための上記プッシュプロキシゲートウェイの確認を含む、項目２９から３１のいずれか一項に記載のノード。
（項目３３）
上記開始リクエストが、上記プッシュセッションの上記構築をサポートするために、上記ベアラー起動の確認を含む、項目２９から３２のいずれか一項に記載のノード。
（項目３４）
上記送信が上記ネットワークと上記移動局との間に、上記コネクション型情報伝達チャネルを用いてセッションを構築できないことを含むとき、上記プッシュプロキシゲートウェイへのエラーメッセージを直ちに提供するためにさらに構築される、項目２９から３３のいずれか一項に記載のノード。
（項目３５）
上記コネクション型情報伝達チャネルが、非構造付加サービスデータ（ＵＳＳＤ）を送信するためのチャネルを含む、項目２９から３６のいずれか１項に記載のノード。
（項目３６）
上記開始リクエストが、サービス開始リクエスト（ＳＩＲ）のためのＷＡＰプロトコルに従う、項目３５に記載のノード。
（項目３７）
上記開始リクエストが、非構造付加サービスリクエスト（ＵＳＳＲ）のためのＵＳＳＤプロトコルに従う、項目３５に記載のノード。
（項目３８）
上記プッシュプロキシゲートウェイから上記開始リクエストを受け取るために構成された、項目２９から３７のいずれか一項に記載のノード。
（項目３９）
プッシュ情報をプッシュプロキシゲートウェイから無線通信ネットワーク経由で受信するためのＷＡＰプッシュセッションを開始するための移動局であって、該移動局は、
該ワイヤレスネットワーク経由で送受信するための通信システムと、
受信したメッセージと送信するためのメッセージを処理するための該通信システムに結合されたプロセッサと、
該プロセッサに結合されたメモリであって、該ネットワークと該移動局の間にコネクション型情報伝達チャネルを構築し、上記チャネルを用いて該移動局で開始リクエストを受信し、該プッシュプロキシゲートウェイが情報を該移動局にプッシュすることを許可するように、該プッシュプロキシゲートウェイに対する該開始リクエストに応えて、プッシュセッションを構築するためのベアラーを起動させるための該プロセッサを構築するための、命令を格納するためのメモリと
を備えた、移動局。
（項目４０）
上記起動されたベアラーが、ＧＰＲＳパケットデータプロトコルコンテクストである、項目３９に記載の移動局。
（項目４１）
上記開始リクエストが、セッション型メカニズムを用いて上記コネクション型情報伝達チャネル上で送信されるようさらに構築される、項目３９または４０のいずれか一項に記載の移動局。
（項目４２）
上記開始リクエストが、上記プッシュセッションを構築するための上記プッシュプロキシゲートウェイの確認を含む、項目３９から４１のいずれか一項に記載の移動局。
（項目４３）
上記開始リクエストが、上記プッシュセッションの上記構築をサポートするための上記ベアラーの起動の確認を含む、項目３９から４２のいずれか一項に記載の移動局。
（項目４４）
上記コネクション型情報伝達チャネルが、非構造付加サービスデータ（ＵＳＳＤ）送信のためのチャネルを含む、項目３９から４３のいずれか一項に記載の移動局。
（項目４５）
上記開始リクエストが、サービス開始リクエスト（ＳＩＲ）のためのＷＡＰプロトコルに従う項目４４に記載の移動局。
（項目４６）
上記開始リクエストが、非構造付加サービスリクエスト（ＵＳＳＲ）のためのＵＳＳＤプロトコルに従う、項目４４に記載の移動局。
（項目４７）
無線通信ネットワーク経由で情報をプシュプロキシゲートウェイから移動局へプッシュするための無線アクセスプロトコル（ＷＡＰ）を開始するための該プッシュプロキシゲートウェイであって、該プロキシゲートウェイは
無線ネットワーク経由での送受信のための通信システムと、
受信されたメッセージと送信のためのメッセージを処理するための該通信システムに結合されたプロセッサと、
該プロセッサに結合されたメモリであって、コネクション型情報伝達チャネルを該ネットワークと移動局の間に構築し、該チャネルを用いて、プッシュプロキシゲートウェイが起動されたベアラーを用いて情報を該移動局にプッシュすることを許可するように、該プッシュプロキシゲートウェイに対する開始リクエストに答えて、該移動局がプッシュセッションを構築のための該ベアラーを起動するという該リクエストを送信するために、該開始リクエストを該移動局に配信するための無線通信ネットワークのネットワークノードに送信するための該プロセッサを構築するための、命令を格納するためのメモリと
を備える、ゲートウェイ。
（項目４８）
上記起動されたベアラーが、ＧＰＲＳパケットプロトコルコンテクストである、項目４７に記載のゲートウェイ。
（項目４９）
上記開始リクエストが、上記プッシュセッションの構築のための上記プッシュプロキシゲートウェイの確認を含む、項目４７または４８に記載のゲートウェイ。
（項目５０）
上記開始リクエストが、上記プッシュセッションの上記構築をサポートするために起動するベアラーの確認を含む、項目４７から４９のいずれか一項に記載のゲートウェイ。
（項目５１）
上記送信が上記コネクション型情報伝達チャネルを用いて上記ネットワークと上記移動局の間にセッションを構築できない場合、即座にエラーメッセージを受け取るためにさらに構築される、項目４７から５０のいずれか一項に記載のゲートウェイ。
（項目５２）
上記コネクション型情報伝達チャネルが、非構造付加サービスデータ（ＵＳＳＤ）のためのチャネルを含む、項目４７から５１のいずれか一項に記載のゲートウェイ。
（項目５３）
上記開始リクエストが、サービス開始リクエスト（ＳＩＲ）のためのＷＡＰプロトコルに従う、項目５２に記載のゲートウェイ。
（項目５４）
上記開始リクエストが、非構造付加サービスリクエスト（ＵＳＳＲ）のためのＵＳＳＤプロトコルに従う、項目５２に記載のゲートウェイ。
（項目５５）
項目１から１０に記載の方法のいずれかを実施するための項目２９から３８に記載のネットワークノードのいずれかの上で実行可能なプログラムコードを含む、機械で読取り可能な媒体。
（項目５６）
項目１１から１９に記載の方法のいずれかを実施するための項目３９から４６に記載の移動局のいずれかの上で実行可能なプログラムコードを含む、機械で読取り可能な媒体。
（項目５７）
項目２０から２８に記載の方法のいずれかを実施するための項目４７から５４に記載のプッシュプロキシゲートウェイのいずれかの上で実行可能なプログラムコードを含む、機械で読取り可能な媒体。
【００１８】
（摘要）
無線通信ネットワーク上でプッシュプロキシゲートウェイから移動局に情報をプッシュするための無線アクセスプロトコル（ＷＡＰ）プッシュセッションを開始するための方法と装置が提供されている。一つの実施形態において、該方法は開始リクエストをコネクション型情報伝達チャネルを用いて移動局に送信し、該移動局は開始リクエストに応えて、プッシュセッションを構築する。好ましくは、コネクション型情報伝達チャネルは開始リクエストを蓄積転送メカニズムを用いることなく送信する。一つの実施形態において、コネクション型情報伝達チャネルは、非構造付加サービスデータ（ＵＳＳＤ）チャネルを含む。開始リクエストは、サービス開始リクエスト（ＳＩＲ）のためのＷＡＰプロトコル、あるいは非構造付加サービスリクエスト（ＵＳＳＲ）のためのＵＳＳＤプロトコルに従い得る。後者の場合、該方法はＵＳＳＤを用いて移動局との接続を構築し、移動局にプッシュセッションを起動し構築するようリクエストするＵＳＳＲメッセージを送信することを含み得る。
【発明を実施するための最良の形態】
【００１９】
本発明の実施形態は、以下の図面を参照して例示的に記載される。便宜上、記載の同様の番号は、図面の同様の構造を参照する。
【００２０】
上述のとおり、プッシュセッションを開始し、プッシュされたデータをＰＰＧとクライアントの移動局の間で通信するためのベアラーを起動するために、従来の技術によればＰＰＧはコネクションレスの態様で、通常ＳＭＳを使ってＳＩＲをクライアントに送信する。クライアントのＳＩＡはＳＩＲを受信し、適切な場合はプッシュセッションを確立し、プッシュデータを受信するためのベアラーを起動する。ここでの教示に従って、ＳＩＲの輸送のためのコネクション型チャネルソリューションが、従来の技術によるコネクションレスＳＭＳベースのソリューションの蓄積転送の性質を軽減するために提供される。チャネル例としては、非構造付加サービスデータ（ＵＳＳＤ）がＧＳＭ勧告０２．９０の一部として定義され、その結果１９９９年のリリース後は３ＧＰＰ規格３Ｇ  ＴＳ  ２３．０９０として発行されている。ＵＳＳＤは無線デジタル通信ネットワーク上で作動する移動局とノードアプリケーション間のコネクション型情報伝達チャネルを提供し、該アプリケーションが移動局からの情報をリクエストしたり、あるいは移動局からの情報リクエストなしに移動局に通知することができる。本発明の実施形態に従うと、ＳＭＳを使ってＳＩＲを送信するよりもむしろ、ＳＩＲはＵＳＳＤチャネルを使って送信される。
【００２１】
上述のとおり、ＵＳＳＤはＧＳＭネットワークにおいて情報あるいは命令を送信する手段である。ＳＭＳとＵＳＳＤの両方がＧＳＭネットワークの情報伝達パスを利用し、ネットワークアプリケーションの移動局への通信開始を許可するが、２つの通信モデルには重要な違いがある。ＵＳＳＤは蓄積転送サービスではなく、セッション型（ｓｅｓｓｉｏｎ−ｏｒｉｅｎｔｅｄ）である。セッションが構築されると、それは移動局、ネットワークアプリケーションあるいは、時間切れでそれを解除するまで開いたままである。セッション型の性質と蓄積転送特性欠如の結果として、転換応答時間はＳＭＳよりもＵＳＳＤのほうが短い。ＵＳＳＤセッションが構築され得ない場合、開始アプリケーションは直ちに通知を受け、それに従って作動し得る。
【００２２】
図３を参照して、本実施形態のシステムアーキテクチャの概略が、参照番号３００によって示されている。該システム３００は、ＵＳＳＤ伝達情報をサポートするＧＳＭネットワーク３０１と結合されているＰＰＧ１０４を含む。ネットワーク３０１はＧＳＭ  ホームロケーションレジスタ（ＨＬＲ）３０２、ＧＳＭビジターロケーションレジスタ（ＶＬＨ）３０４、移動通信交換局（ＭＳＣ）３０６を含む。ＨＬＲ３０２は移動局がローミングしている場合、ＶＬＲ３０４と結合している。ＨＬＲ３０２とＶＬＲ３０４はさらに、移動局１０６と通信するための対応するＭＳＣ３０６と結合している。
【００２３】
図４を参照して、本実施形態の一般的な動作を図説するフローチャートが参照番号４００によって示されている。ステップ４０２において、ＰＰＧ１０４は、ＳＩＲおよび、目的移動局１０６と目的アプリケーションを識別するための識別子を、ＨＬＲ３０２に送信する。ステップ４０４において、移動局がローミングしているかどうかが決定される。移動局がローミングしていない場合、動作はステップ４０６に進む。ステップ４０６において、ＳＩＲは対応するＭＳＣ３０６に送信される。ステップ４０８において、ＭＳＣ３０６はメッセージを移動局１０６に送信する。ステップ４１０において、移動局１０６は、ＳＩＡをＳＩＲにより更新する。ステップ４１２において、ＳＩＲは適切なベアラーを起動し、ＰＰＧ１０４に連絡することにより応じる。
【００２４】
ステップ４０４において、移動局１０６がローミングしているということが決定されれば、動作はステップ４１４に進む。ステップ４１４において、ＨＬＲ３０２はＰＰＧ１０４から受信した情報をＶＬＲ３０４に送信する。動作はそれからステップ４０６に続く。
【００２５】
従って、上記記載の方法はＳＩＲメッセージを移動局１０６に配信するためのＵＳＳＤベアラーを提供する。このように、すべての現行のＷＡＰプロトコルは維持され、それが本実施形態の簡単な実施を容易にする。
【００２６】
図５を参照して、本発明の代替的実施形態の動作を図説するフローチャートが参照番号５００によって示されている。本実施形態において、ＷＡＰ規格に使用される現行ＳＩＲメッセージはカスタムなＵＳＳＤメッセージに置換される。
【００２７】
ステップ５０２において、ＰＰＧ１０４はＨＬＲ３０２にリクエストを送信する。該リクエストはＵＳＳＤ形式である。典型的なＵＳＳＤリクエストのフォーマットは＊Ｎ＊ＭＥＳＳＡＧＥ＃で、ここで*は分離パラメータのために使われ、Ｎはリクエストされたサービス、ＭＥＳＳＡＧＥは必要であれば補足情報を、そして＃はリクエストの終了のために使われる。当業者は、メッセージが多かれ少なかれ図説の２つのパラメータを含むことを認識する。好ましくはそのような開始リクエストメッセージは異なるベンダーの装置間の相互運用を可能にするために規格化されている。開始リクエストメッセージは、文字列*ＡＣＴＩＶＡＴＥ  ＰＤＰ＃、数字列＊８８４５＃、あるいは他のいくつかの変数などの多くの形式を取り得る。このようなＵＳＳＤメッセージは、ＷＡＰプロトコルに従う場合のＳＩＲの必要をなくし、たとえば＊ＡＣＴＩＶＡＴＥ  ＰＤＰ[ｃｏｎｖｅｒｓａｔｉｏｎａｌ（対話型）]＃といったＰＤＰコンテクストのための任意のＱｏＳ要求（Ｑｕａｌｉｔｙ  ｏｆ  Ｓｅｒｖｉｃｅ  Ｒｅｑｕｉｒｅｍｅｎｔ）を示すような他の領域に組み込まれ得る。
【００２８】
ステップ５０３において、ＨＬＲ３０２は移動局１０６とのＵＳＳＤセッション構築を試行する。ステップ５０４において、移動局がローミングしているかどうかが決定される。移動局がローミングしていない場合は、動作はステップ５０６に進む。ステップ５０６において、ＵＳＳＤセッションリクエストは、対応するＭＳＣ３０６に送信される。ステップ５０８において、ＭＳＣ３０６は該セッションリクエストを移動局１０６に送信する。ステップ５１０において、移動局１０６はリクエストに応答し、セッションを構築する。ステップ５１２において、ＨＬＲ３０２はＵＳＳＤリクエストを移動局１０６に送信する。ステップ５１４において、移動局はＵＳＳＤリクエストを受信し、ＰＤＰコンテクストを構築するための適切なベアラーを起動することによって応じる。
【００２９】
ステップ５０４において、移動局１０６がローミングしていることが確定されると、動作はステップ５１６に移る。ステップ５１６において、ＨＬＲ３０２はＵＳＳＤリクエストをＶＬＲ３０４に送信する。動作はそれからステップ５０６に続く。
【００３０】
上記記載の実施形態はいくつかの利点を有する。特に、ＵＳＳＤをベアラーとして使用することにより、一般にＳＭＳを使用した場合に比べてプッシュが速く動作する。さらに、ＳＭＳとの競合条件がＵＳＳＤ使用により避けられる。さらに、ＵＳＳＤベースのソリューションはセッションベースである。そのため、ＵＳＳＤ経由の開始リクエストが試行されるとき、移動局１０６の電源が切れている、あるいは受信不可能な状態であれば、エラーメッセージは直ちにＰＰＧに戻り得る。
【００３１】
この効果、つまりエラーメッセージの即時返却は時間が重大な意味を持つプッシュ情報サービスにおいては特に利点となる。従来の技術では、ＳＭＳ使用の意味するところは、いったんＳＩＲが送られて、移動局の電源が切れていたり、受信できない状態であれば、それはＳＭＳの有効期間、ＳＭＳＣにおいて「保留」となるということである。これは、たとえば１０分ごとにスポーツゲームのアップデートを提供するサービスアプリケーションを使用した場合、ＳＩＲリクエストのバックログが蓄積する結果になる。ここに述べたとおりＵＳＳＤを使用することで、移動局が利用できるかできないか、またその振るまいが適切かどうかを、サービスアプリケーションが実際に即時に気付き、たとえば、サービスを保留したり、サービスのチャージを適応したり、あるいは他の所定のメカニズム（ＳＭＳのような）により、ユーザーに都合によりサービスが再度開始されなければならないことを知らせる。
【００３２】
先の説明は本発明を実施するための好ましい実施形態であり、本発明の範囲は必ずしもこの説明に限定されるべきではないということを当業者は認識する。当業者は、アプリケーションの範囲から離れることなく特定の実施形態に変更、修正、変形を加え得る。たとえば、該実施形態はＵＳＳＤを使用して説明されているが、当業者は同様の利点をもたらす他のプロトコルが代用されうることを認識する。本発明は、ここに記載のこれに関する添付の請求項によって決定され、技術上のすべての適切な変更を包含することを意図する。
【図面の簡単な説明】
【００３３】
【図１】ＷＡＰプッシュアーキテクチャを示す概略図である。
【図２】ＳＭＳアーキテクチャを示す概略図である。
【図３】本発明の実施形態に従うＷＡＰプッシュアーキテクチャを示す概略図である。
【図４】本発明の実施形態の動作を示すフローチャートである。
【図５】本発明の代替実施形態の動作を示すフローチャートである。
【符号の説明】
【００３４】
１０４  プッシュプロキシゲートウェイ（ＰＰＧ）
１０６  移動局
３０１  ＧＳＭネットワーク
３０２  ＧＳＭホームロケーションレジスタ（ＨＬＲ）
３０４  ＧＳＭビジターロケーションレジスタ（ＶＬＲ）
３０６  移動通信交換局（ＭＳＣ）
【図１】
2005304052.tif 000003
【図２】
2005304052.tif 000004
【図３】
2005304052.tif 000005
【図４】
2005304052.tif 000006
【図５】
2005304052.tif 000007